(57)【要約】【技術課題】リースで貸し出し、使用できる床暖房マット及び中古で再使用できる床暖房マットの施工法及びこの装置を提供する。  【解決手段】リースマット１０を、マイクロ吸盤２付接着テープ１を用いて下地１２の表面に貼り合せた被着フィルム３に引き剥がし、自在に固定する。この結果、マイクロ吸盤２と被着フィルム３間でリースマット１０を損傷することなく、自由に剥がし取り、再リース又は中古として再利用することができる。【選択図】図３
2009014263.tif 000002
【特許請求の範囲】
【請求項１】
床暖房マットを下地面にマイクロ吸盤付接着テープを用いて着脱自在に敷設するリース式床暖房マットの施工法。
【請求項２】
前記マイクロ吸盤付接着テープを床暖房マットの裏面に貼り付け、下地面に被着フィルムを貼り付けて行う請求項１に記載のリース式床暖房マットの施工法。
【請求項３】
前記マイクロ吸盤付接着テープを下地面に貼り付け、床暖房マットの裏面に被着フィルムを貼り付けて行う請求項１に記載のリース式床暖房マットの施工法。
【請求項４】
ａ．床暖房マットの裏面に、接着剤を介してマイクロ吸盤付接着テープ又は被着フィル  ムを貼り付ける、
ｂ．下地面に、被着フィルム又はマイクロ吸盤付接着テープを接着剤で貼り付ける、
ｃ．床暖房マットの敷設に際しては、マイクロ吸盤面を被着フィルムの表面に吸着させて下地面に固定する、
ｄ．床暖房マットの撤去に際しては、マイクロ吸盤面と被着フィルム面間において剥がしとる、
ｅ．ことを特徴とするリース式床暖房マットの施工法。
【請求項５】
前記床暖房マットを剥がし取った後、この床暖房マットの裏面及び下地面の表面からマイクロ吸盤付接着テープ及び被着フィルムをそれぞれ取り除くことを特徴とする請求項４に記載のリース式床暖房マットの施工法。
【請求項６】
前記マイクロ吸盤付接着テープと被着フィルムは、床暖房マットの裏面及び下地面において複数箇所又は全面に用いられることを特徴とする請求項１〜４の何れか１項に記載のリース式床暖房マットの施工法。
【請求項７】
マイクロ吸盤付接着テープと、前記マイクロ吸盤が被着する被着フィルムと、から成るリース式床暖房マットの施工装置。
【請求項８】
前記被着フィルムには、ポリエチレンフィルム又はポリウレタンフィルム又はラミネートフィルム又はビニールフィルム又はアルミニュウム箔又はクラフトフィルム又はゴム系フィルム又はマーキングフィルム又はポリプロピレンフィルム又はアクリルテープ又は綿テープ又はポリエステルテープ又はクラフトテープが単独で、又はベーステープに貼り合せた複合状態で用いられていることを特徴とする請求項７に記載のリース式床暖房マットの施工装置。
【請求項９】
前記ベーステープには、アルミニュウム箔が用いられていることを特徴とする請求項８に記載のリース式床暖房マットの施工装置。
【請求項１０】
前記マイクロ吸盤付接着テープ及び被着フィルムの裏面には、剥離紙で保護された感圧接着剤層が形成されていることを特徴とする請求項７〜９の何れか１項に記載のリース式床暖房マットの施工装置。
【発明の詳細な説明】
【技術分野】
【０００１】
本発明は、温水式又は電気式の床暖房マットをリースで利用できるようにする施工法及びこの施工装置に関し、更に詳しくは、リースに加えて、中古として再利用が可能な床暖房マットの施工法及びこの施工装置に関する。
【背景技術】
【０００２】
従来の床暖房マットは、新築及びリフォーム時ともに建物の下地面に接着剤を用いて固定する施工法が一般的であるため、一旦施工してしまうと、後で剥がしとることは難しい。このような床暖房マットの施工は、建築主の希望でどうにでもなるが、賃貸住宅あるいはマンションにおいて、あらかじめ床暖房マットを設備した場合、賃借人が床暖房を望まない場合には無用な設備となる。反対に、床暖房マットを設備していない場合には、床暖房を望む賃借人が入居した場合には、設備に不満が出る。
現在の床暖房マットの施工法では、賃借人の希望で簡単に床暖房マットを設備したり、撤去したりすることはできないが、これが出来ると、賃貸マンション等においては部屋の価値が高まり、収入の増大を計ることができる。
また、高齢者や病人あるいは幼児等が居る場合に、一時的に床暖房が欲しい場合がある。このような場合に、高い設備費をかけて床暖房マットを施工しても、その後は無駄な設備となる。
【０００３】
このようなことから、簡単に床暖房マットを取り付けたり、取り外したりすることができるように、床暖房用温水マットを面ファスナーを用いて下地面に着脱自在に固定する提案がある（特開２００１−２４８８４９号公報）。
しかし、この公知例の温水マットは、建物を壊したりした際に、温水マットをリサイクル処理しやすくするために、面ファスナーを用いているだけであって、温水マットをリースで使用することができたり、不用となった場合には簡単に撤去できる内容ではない。
また、床暖房マットは、上記のように下地面に接着剤を用いて貼り付けてしまうため、この床暖房マットを剥がし取ると、マット本体及び温水チューブは損傷してしまい、二度と使用することはできなくなるが、省資源の観点からも、中古の温水マットがあっても良い。
【特許文献１】特開２００１−２４８８４９号公報
【発明の開示】
【発明が解決しようとする課題】
【０００４】
本発明の目的は、温水式又は電気式床暖房マットをリース又は中古として再利用できるように工夫した温水マットの施工法及びこの施工装置を提供することである。
【課題を解決するための手段】
【０００５】
上記目的を達成するため、請求項１に記載の発明においては、リース式床暖房マットの施工法において、床暖房マットを下地面にマイクロ吸盤付接着テープを用いて着脱自在に敷設することを特徴とするものである。
この発明によると、リースの注文があると、直ちに出向いて短時間に床暖房マットを施工したり、不用となった場合には撤去ができる。
【０００６】
更に、請求項２に記載の発明においては、請求項１に記載のリース式床暖房マットの施工法において、前記マイクロ吸盤付接着テープを床暖房マットの裏面に貼り付け、下地面に被着フィルムを貼り付けて行うことを特徴とするものである。
【０００７】
更に、請求項３に記載の発明においては、請求項１に記載のリース式床暖房マットの施工法において、前記マイクロ吸盤付接着テープを下地面に貼り付け、床暖房マットの裏面に被着フィルムを貼り付けて行うことを特徴とするものである。
【０００８】
更に、請求項４に記載の発明においては、リース式床暖房マットの施工法において、  ａ．床暖房マットの裏面に、接着剤を介してマイクロ吸盤付接着テープ又は被着フィル  ムを貼り付ける、
ｂ．下地面に、被着フィルム又はマイクロ吸盤付接着テープを接着剤で貼り付ける、
ｃ．床暖房マットの敷設に際しては、マイクロ吸盤面を被着フィルムの表面に吸着させて下地面に固定する、
ｄ．床暖房マットの撤去に際しては、マイクロ吸盤面と被着フィルム面間において剥がしとる、
ｅ．ことを特徴とするものである。
【０００９】
更に、請求項５に記載の発明においては、請求項４に記載のリース式床暖房マットの施工法において、前記床暖房マットを剥がし取った後、この床暖房マットの裏面及び下地面の表面からマイクロ吸盤付接着テープ及び被着フィルムをそれぞれ取り除くことを特徴とするものである。
【００１０】
更に、請求項６に記載の発明においては、請求項１〜４の何れか１項に記載のリース式床暖房マットの施工法において、前記マイクロ吸盤付接着テープと被着フィルムは、床暖房マットの裏面及び下地面において複数箇所又は全面に用いられることを特徴とするものである。
【００１１】
更に、請求項７に記載の発明においては、リース式床暖房マットの施工装置において、マイクロ吸盤付接着テープと、前記マイクロ吸盤が被着する被着フィルムと、から成ることを特徴とするものである。
この発明によると、床暖房マット及び下地には一切手を加えることなく、リース式床暖房マットの施工ができる。
【００１２】
更に、請求項８に記載の発明においては、請求項７に記載のリース式床暖房マットの施工装置において、前記被着フィルムには、ポリエチレンフィルム又はポリウレタンフィルム又はラミネートフィルム又はビニールフィルム又はアルミニュウム箔又はクラフトフィルム又はゴム系フィルム又はマーキングフィルム又はポリプロピレンフィルム又はアクリルテープ又は綿テープ又はポリエステルテープ又はクラフトテープが単独で、又はベーステープに貼り合せた複合状態で用いられていることを特徴とするものである。
【００１３】
更に、請求項９に記載の発明においては、請求項８に記載のリース式床暖房マットの施工装置において、前記ベーステープには、アルミニュウム箔が用いられていることを特徴とするものである。
【００１４】
更に、請求項１０に記載の発明においては、請求項７〜９の何れか１項に記載のリース式床暖房マットの施工装置において、前記マイクロ吸盤付接着テープ及び被着フィルムの裏面には、剥離紙で保護された感圧接着剤層が形成されていることを特徴とするものである。
【発明の効果】
【００１５】
上記本発明によると、床暖房マットは、下地面にマイクロ吸盤付接着テープを用いて簡単に固定したり、不必要となった際にはマイクロ吸盤のところで簡単に剥がしとることができる。
このため、賃貸マンション等において、賃借人が希望する場合には、簡単にリース式の床暖房設備付の部屋に衣替えすることができる。
また、一般の住宅等においては、高齢者や病人が出た場合、あるいは乳幼児がいる期間だけリースで床暖房設備を整えることができるため、大掛かりなリフォーム工事をしないで済むと共に、不用になった場合には簡単に撤去できる。
また、床暖房マットを損傷しないで剥がし取ることができるため、中古として再利用することもでき、省資源化にも寄与できる。
【実施例１】
【００１６】
上記した本発明の実施例１であって、リース式床暖房マット（以下「リースマット」という。）の施工装置の一例を図１〜図３に基づいて説明する。図１（Ａ）は、マイクロ吸盤（ミクロ吸着層）２付接着テープ１を示し、図１（Ｂ）は被着フィルム（被着テープ）３を示し、この被着フィルム３はアルミテープの表面にポリエチレンフィルム４を貼り合せた構造である。
前記マイクロ吸盤２付接着テープ１の裏面には、感圧接着剤層５が形成されていると共に、この接着剤層５の表面には、剥離紙６が貼り付けられている。
被着フィルム３は、上記マイクロ吸盤２付接着テープ１の場合と同様に、裏面に感圧接着剤層７が形成されていると共に、この接着剤層７を保護するために、剥離紙８が貼り付けられている。
なお、本実施例１の場合、被着テープ３として、アルミテープの表面にポリエチレンフィルム４を貼り合せているが、このポリエチレンフィルム４に代えて、次のフィルムを用いることができる。
ポリウレタンフィルム又はラミネートフィルム又はビニールフィルム又はアルミフィルム又はクラフトフィルム又はゴム系フィルム又はマーキングフィルム又はポリプロピレンフィルム又はアクリルテープ又は綿テープ又はポリエステルテープ又はクラフトテープ。
また、アルミテープ３は、強度との関係でベーステープとして用いられているが、被着面として上記フィルムが十分な強度を有する場合は、アルミテープと貼り合せることなく、単独で用いてもよい。又は、被着フィルム３としては、アルミ箔を単独で用いるようにしても良い。
【００１７】
以上に説明したリースマットの施工装置を用いて行う施工例を図２及び図３に基づいて説明する。先ず、施工現場において、図２に示すように、リースマット１０の裏面であって、小根太１１のところに、図１（Ａ）の一点鎖線で示したように、マイクロ吸盤２付接着テープ１から剥離紙６を剥がしとり、マイクロ吸盤２付接着テープ１を接着剤層５により貼り付ける。この貼り付けは、各小根太１１の全長又は間隔を置いて貼り付ける。もちろん、小根太１１以外の部分に貼り付けても良い。
また、小根太１１が挿入されていないリースマット１０の場合には、固定に必要な範囲に任意に貼り付ける。又は、必要な場合には、全面に貼り付けても良い。
【００１８】
次に、図１（Ｂ）の一点鎖線で示すように、被着フィルム３から剥離紙８を剥がしとり、接着剤層７により下地１２の表面に被着フィルム３を貼り付ける。このとき、被着フィルム３は、上記した接着テープ１に位置を合わせておく。本実施例において、被着フィルム３の幅は、マイクロ吸盤２付接着テープ１の幅よりも大きく形成しておくことにより、多少のズレがあっても、確実にマイクロ吸盤２の面が被着フィルム３の面に被着するようにしてある。
但し、下地１２の表面全体に被着フィルム３を貼り付けるようにしても良い。
図３は、リースマット１０を下地１２上に貼りつけて固定した状態である。
符号の１３は温水パイプ、１４は放熱シートである。
【実施例２】
【００１９】
本実施例２は、リースマット１０の施工法に関するもので、図４（Ａ）は、リースマット１０の裏面にマイクロ吸盤２付接着テープ１（実施例１で説明のもの）を貼り付け、下地１２側にポリエチレンフィルム４付の被着フィルム３（実施例１で説明のもの）を貼り付け、この上に、（Ｂ）に示すようにリースマット１０を固定した例である。（Ｃ）はリースマット１０をマイクロ吸盤２面で引き剥がした状態である。
【００２０】
マイクロ吸盤２は、繰り返し使用できるため、次のリースが入るまで、リースマット１０は、折り畳んでそのまま保管する。この保管に際しては、埃等の付着を防ぐために、マイクロ吸盤２の面に保護フィルム等を貼り合せておく。リースマット１０を撤去したあとの被着フィルム３は、下地１２から剥がし取っても良いし、支障がない場合は、そのままとしておいても良い。
図５は下地１２側にマイクロ吸盤２付接着テープ１を貼り合せ、リースマット１０側にポリエチレンフィルム４付被着フィルム３を貼り合せた例である。
【００２１】
図６（Ａ）は、リースマット１０の下面に、あらかじめ被着フィルム３及びマイクロ吸盤２付接着テープ１を順に積層して取り付けておき、リースマット１０を下地１２の表面に置くようにして施工する例であって、（Ｂ）は固定した状態、（Ｃ）は接着テープ１を残して引き剥がした状態である。
図７（Ａ）は、図６（Ａ）とは反対に、あらかじめ下地１２の上面側に被着フィルム３及びマイクロ吸盤２付接着テープ１を順に積層して取り付けておき、この上にリースマット１０を置いて固定する例であって、固定した状態は図４（Ｂ）、引き剥がした状態は図４（Ｃ）となる。
【００２２】
以上に説明したリースマット１０は、温水式の床暖房マットであるが、電気式の場合も同様にして施工する。
但し、小根太１１の無いマットの場合には、マイクロ吸盤２付接着テープ１の位置は特に限定されない。
なお、リースマット１０の表面には、フローリング、カーペットあるいは畳等の床材が通常の施工法で施工されるが、図３〜図７において、この図示と説明は省略している。
【図面の簡単な説明】
【００２３】
【図１】（Ａ）はマイクロ吸盤付接着テープの説明図、（Ｂ）は被着フィルムの説明図
【図２】リースマットを施工する直前の説明図
【図３】リースマットを施工した状態の説明図
【図４】（Ａ）〜（Ｃ）リースマットの施工例の説明図
【図５】リースマットの施工例の説明図
【図６】（Ａ）〜（Ｃ）リースマットの施工例の説明図
【図７】リースマットの施工例の説明図
【符号の説明】
【００２４】
１  マイクロ吸盤付接着テープ
２  マイクロ吸盤
３  被着フィルム
４  ポリエチレンフィルム
１０  リースマット
１２  下地
【図１】
2009014263.tif 000003
【図２】
2009014263.tif 000004
【図３】
2009014263.tif 000005
【図４】
2009014263.tif 000006
【図５】
2009014263.tif 000007
【図６】
2009014263.tif 000008
【図７】
2009014263.tif 000009